【事件の表示】
　特願２０１８−５０６３２２「電力の最適化」拒絶査定不服審判事件〔平成２９年　２月１６日国際公開、ＷＯ２０１７／０２５４８１、平成３０年１０月１８日国内公表、特表２０１８−５３０８１２、請求項の数（９）〕について、次のとおり審決する。
【結　論】
　原査定を取り消す。
　本願の発明は、特許すべきものとする。
【理　由】
第１　手続の経緯
　本願は，２０１６年（平成２８年）８月５日（パリ条約による優先権主張外国庁受理２０１５年８月７日（以下，「優先日」という。），米国，２０１５年８月２８日，英国）を国際出願日とする出願であって，令和２年３月９日付けで拒絶理由が通知され，令和２年７月３日付けで意見書が提出されたが，令和２年１１月２４日付けで拒絶査定（原査定）がされ，これに対し，令和３年４月１日に拒絶査定不服審判の請求がされると同時に手続補正がされたものである。
第２　原査定の概要
　原査定（令和２年１１月２４日付け拒絶査定）の概要は次のとおりである。
１．本願請求項１〜１３に係る発明は，以下の引用文献１〜２に基づいて，その発明の属する技術の分野における通常の知識を有する者（以下，「当業者」という。）が容易に発明できたものであるから，特許法第２９条第２項の規定により特許を受けることができない。
引用文献等一覧
１．米国特許出願公開第２０１０／００３９２３４号明細書
２．米国特許出願公開第２００２／００９７１４４号明細書
第３　審判請求時の補正について
　審判請求時の補正は，特許法第１７条の２第３項から第６項までの要件に違反しているものとはいえない。
　審判請求時の補正によって，請求項１において，「指紋認証モジュールであるバイオメトリック認証モジュール」とする補正及び，「前記制御することが，高電力レベルが検出された時に前記処理ユニットを高クロック速度で動作させ，低電力レベルが検出された時に前記処理ユニットを低クロック速度で動作させることを含む」とする補正は，それぞれ，補正前の請求項１の発明特定事項である「バイオメトリック認証モジュール」及び「制御すること」を限定的に減縮するものであるから，特許請求の範囲の減縮を目的とするものであり，また，当該補正の内容は，出願当初の特許請求の範囲の請求項３及び明細書の段落０００８に記載されているから，当該補正は新規事項を追加するものでもない。
　また，審判請求時の補正によって請求項６において，「且つ指紋認証モジュールであるバイオメトリック認証モジュール」とする補正及び，「前記制御することが，高電力レベルが検出された時に前記処理ユニットを高クロック速度で動作させ，低電力レベルが検出された時に前記処理ユニットを低クロック速度で動作させることを含んでなる」とする補正は，それぞれ，補正前の請求項８の発明特定事項である「バイオメトリック認証モジュール」及び「制御すること」を限定的に減縮するものであるから，特許請求の範囲の減縮を目的とするものであり，また，当該補正の内容は，出願当初の特許請求の範囲の請求項９及び明細書の段落００１８に記載されているから，当該補正は新規事項を追加するものでもない。
　そして，以下の「第４　本願発明」から「第６　対比・判断」までに示すように，補正後の請求項１〜９に係る発明は，独立特許要件を満たすものである。
第４　本願発明
　本願の請求項１〜９に係る発明（以下，それぞれ「本願発明１」〜「本願発明９」という。）は，令和３年４月１日付けの手続補正で補正された特許請求の範囲の請求項１〜９に記載された事項により特定される発明であり，以下の通りの発明である。
「　【請求項１】
　アンテナを用いて無線周波数励起場から電力を抽出することと，
　前記アンテナから抽出された前記電力を用いて，指紋認証モジュールであるバイオメトリック認証モジュールの処理ユニットに電力を供給することと，
　前記処理ユニットへ供給される前記電力を監視することと，
　監視された前記電力のレベルに基づいて前記処理ユニットのクロック速度を制御することと
　を含み，
　前記制御することが，高電力レベルが検出された時に前記処理ユニットを高クロック速度で動作させ，低電力レベルが検出された時に前記処理ユニットを低クロック速度で動作させることを含む，
　方法。
　　【請求項２】
　前記処理ユニットに電力を供給すると同時に前記アンテナから抽出された前記電力を用いて通信モジュールに電力を供給することをさらに含む，請求項１に記載の方法。
　　【請求項３】
　前記制御することが，前記処理ユニットをその最大クロック速度で動作させると前記通信モジュールの動作を害してしまう時に前記処理ユニットをその最大クロック速度未満のクロック速度で動作させることを含む，請求項２に記載の方法。
　　【請求項４】
　前記励起場がＲＦＩＤ読取装置により生成される，請求項１乃至３のうちのいずれか一項に記載の方法。
　　【請求項５】
　前記アンテナおよび前記処理ユニットがＲＦＩＤデバイスのコンポーネントである，請求項１乃至４のうちのいずれか一項に記載の方法。
　　【請求項６】
　無線周波数信号から電力を受信，抽出するためのアンテナと，
　前記アンテナにより電力が供給され，クロック速度が変更可能な処理ユニットを有し且つ指紋認証モジュールであるバイオメトリック認証モジュールと，
　前記処理ユニットへ供給される前記電力を監視するためのセンサーと，
　監視された前記電力のレベルに基づいて前記処理ユニットのクロック速度を制御するためのクロック速度制御ロジックと
　を備え，
　前記制御することが，高電力レベルが検出された時に前記処理ユニットを高クロック速度で動作させ，低電力レベルが検出された時に前記処理ユニットを低クロック速度で動作させることを含んでなる，デバイス。
　　【請求項７】
　前記アンテナから抽出された前記電力により電力が供給される通信モジュールをさらに備えてなる，請求項６に記載のデバイス。
　　【請求項８】
　前記通信モジュールが前記アンテナを介して通信するためにアクティブロードモジュレーションを用いるように構成されてなる，請求項７に記載のデバイス。
　　【請求項９】
　前記制御することが，前記処理ユニットをその最大クロック速度で動作させると前記通信モジュールの動作を害しうる時に前記処理ユニットをその最大クロック速度未満のクロック速度で動作させることを含んでなる，請求項７または８に記載のデバイス。」
第５　引用文献，引用発明等
１．引用文献１について
（１）原査定の拒絶の理由に引用された引用文献１（米国特許出願公開第２０１０／００３９２３４号明細書）には，図面とともに次の事項が記載されている。（下線は当審で付したものである。）
ア　「[0060] FIG. 7 illustrates a functional block diagram of a biometric device 700 in accordance with some embodiments of the present invention.・・・
[0061] As illustrated in FIG. 7, 
the biometric device 700
include an antenna 710
 720 (CPU), a power circuit 725, an RF chip 730, and
 735
 a finger pint sensor
the biometric device 700 does not include a local power supply 
（当審訳：[0060]図7は，本発明のいくつかの実施形態に係る生体認証装置700の機能ブロック図を示す。・・・
[0061]図7に示すように，
生体認証装置700は，
アンテナ710，
720(CPU)，電力回路725，RFチップ730及び
735
指紋センサ
を含む
生体認証装置700は，ローカル電源を含んでいない
イ　「[0064]・・・
When a user with the biometric device approaches the RFID reader, the antenna 710 harvests energy from the RF field, the power circuit 725 converts the harvested power to DC, and then the DC voltage is distributed for use
[0065] 
When receiving power, the fingerprint sensor 735 activates and captures external finger print data
The external finger print data is provided to the CPU 720
The CPU 720 compares the external finger print data to the stored fingerprint template
Based on the comparison, the CPU 720 can calculate a comparison score
The CPU 720 can then contrast the comparison score with a set threshold to determine if a match or no match condition has occurred
（当審訳：[0064]・・・
生体認証装置を有するユーザがRFIDリーダに接近すると，アンテナ710は，RFフィールドからエネルギーを収集し，電力回路725は，収集した電力を直流に変換し，直流電圧は使用のために配布される
[0065]
電力を受信すると，指紋センサ735が起動し，外部の指紋データを取り込む
外部の指紋データはCPU720に提供される
CPU720は，外部の指紋データを記憶された指紋テンプレートと比較する
この比較に基づいて，CPU 720は，比較スコアを計算することができる
次にCPU 720は，比較スコアを設定された閾値と対比して，一致状態又は不一致状態が発生したかどうかを判定することができる
ウ　「[0069] FIG. 8 illustrates a schematic of a biometric device 800 in accordance with some embodiments of the present invention.　・・・」
（当審訳：[0069]図8は，本発明のいくつかの実施形態に係る生体認証装置800の概略を示す図である。・・・）
エ　「[0074] When the biometric device 800 is positioned proximate an energy source (e.g., an RFID card reader), the device will begin to operate (FIG. 9 explains additional operational state details). 　・・・
[0075]・・・After acting on the captured finger print data, the CPU 820 can compare the extracted image to previously stored finger print data. 　・・・
[0076] To implement the comparison of the two data sets, the CPU 820 can implement a matching algorithm. The matching algorithm can retrieve the stored finger print data from memory and compare with the received external data. Results of the comparison may produce a comparison score. After obtaining the comparison score, the CPU 820 can determine if the score exceeds or falls below a predetermined threshold. In some embodiments, a comparison score that exceeds the threshold indicates a match condition and a comparison score that falls below the threshold indicates a no match condition.
[0077] 
After determining the existence of a match or no match condition, the CPU 820 can initiate control of the RF chip 830
For example, upon confirming a match condition, the CPU 820 holds the register of an IO port to output a signal to enable Q1 to drive the antenna 810
[0078] While the CPU 820 is controlling Q1, the CPU 820 can hold its IO port. 
When doing this, the CPU 820 can reduce its clock cycle to induce a sleep mode
When entering a sleep mode, the CPU 820 can also instruct the finger print sensor 835 to enter a sleep mode
By entering a sleep mode, the CPU 820 and the finger print sensor consume less power thereby preserving power for other components
[0079] 
By operating in this fashion, the biometric device 800 can obtain full power from a wireless energy source
This full power can be initially used by the CPU 820 and the finger print sensor 835 to focus on calculations
Then the device 800 can focus on sending signal data via RF chip 830
（当審訳：[0074]生体認証装置800は，エネルギー源(例えば，RFIDリーダ)の近くに配置されると，装置は動作を開始する(図9は，付加的な動作状態の詳細を説明する)。・・・
[0075]・・・撮像された指紋データに作用した後，CPU820は，抽出した画像を予め記憶された指紋データと比較することができる。・・・
[0076]２個のデータセットの比較を実現するために，CPU820は，マッチングアルゴリズムを実行することができる。マッチングアルゴリズムは，メモリから記憶された指紋データを読み出し，受信した外部データと比較することができる。比較の結果，比較スコアを生成することができる。比較スコアを取得した後，CPU820は，スコアが所定の閾値を上回るか下回るかを判定することができる。いくつかの実施形態では，閾値を越える比較スコアは一致状態を示し，閾値を下回るという比較スコアは，不一致状態を示している。
[0077]
一致状態又は不一致状態の存在を決定した後，CPU820は，RFチップ830の制御を開始することができる
例えば，一致状態を確認すると，CPU820は，Q1が
アンテナ810を駆動できるようにするための信号を出力するように，IOポートのレジスタを保持する
[0078]CPU820がQ1を制御している間，CPU820はそのIOポートを保持することができる。
この際，CPU820は，そのクロック・サイクルを低減するスリープモード
を誘発させることができる
スリープモードに入ると，CPU820は，さらに，指紋センサ835がスリープモードに入るように命令することができる
スリープモードに入ることにより，CPU820と，指紋センサは，より少ない電力を消費し，それによって他の構成要素のための電力を保持する
[0079]
このように動作することにより，生体認証装置800は，無線エネルギー源から全電力を得ることができる
この全電力は，最初に，計算に集中するCPU820と，指紋センサ835によって使用することができる
次に，生体認証装置800は，RFチップ830を介して信号データを送信することに集中することができる
オ　「図７
」
カ　「図８
」
（２）ア　引用文献１の上記図７は，「生体認証装置700の機能ブロック図」であり，また，図８は，「生体認証装置800の概略を示す図」であるところ，両者は「生体認証装置」の同じ実施形態を説明するための図面であると認められるので，図７の説明と図８の説明の両者を合わせて以下の引用発明を認定する。
イ　そうすると，上記（１）のア〜カに摘記した引用文献１の記載事項から，引用文献１には，次の発明（以下，「引用発明」という。）が記載されていると認められる。
「生体認証装置は，アンテナ，CPU，電力回路，RFチップ及び指紋センサを含み，生体認証装置は，ローカル電源を含んでおらず，（[0061]，図７）
　生体認証装置を有するユーザがRFIDリーダに接近すると，アンテナは，RFフィールドからエネルギーを収集し，電力回路は，収集した電力を直流に変換し，直流電圧は使用のために配布され，（[0064]，図７）
　電力を受信すると，指紋センサが起動し，外部の指紋データを取り込み，外部の指紋データはCPUに提供され，CPUは，外部の指紋データを記憶された指紋テンプレートと比較し，この比較に基づいて，CPUは，比較スコアを計算し，（[0064]，図７）
　次にCPUは，比較スコアを設定された閾値と対比して，一致状態又は不一致状態が発生したかどうかを判定し，（[0064]，図７）
　一致状態又は不一致状態の存在を決定した後，CPUは，RFチップの制御を開始し，（[0077]，図８）
　例えば，一致状態を確認すると，CPUは，Q1がアンテナを駆動できるようにするための信号を出力するように，IOポートのレジスタを保持し，（[0077]，図８）
　この際，CPUは，そのクロック・サイクルを低減するスリープモードを誘発させ，（[0078]，図８）
　スリープモードに入ると，CPUは，さらに，指紋センサがスリープモードに入るように命令し，（[0078]，図８）
　スリープモードに入ることにより，CPUと，指紋センサは，より少ない電力を消費し，それによって他の構成要素のための電力を保持し，（[0078]，図８）
　このように動作することにより，生体認証装置は，無線エネルギー源から全電力を得ることができ，この全電力は，最初に，計算に集中するCPUと，指紋センサによって使用することができ，次に，生体認証装置は，RFチップを介して信号データを送信することに集中することができる，（[0079]，図８）
方法。」
２．引用文献２について
（１）原査定の拒絶の理由に引用された引用文献２（米国特許出願公開第２００２／００９７１４４号明細書）には，図面とともに次の事項が記載されている。（下線は当審で付したものである。）
ア　「[0005] FIG. 1 illustrates a block diagram of 
a contactless smart card system
[0006] The smart card 110 comprises an integrated circuit 114 and an inductive loop 112 . 
When the smart card 110 is brought into the proximity of the reader 100 , the inductive antenna 108 of the reader 100 and the inductive loop 112 of the smart card 110 form a loosely coupled transformer
The electromagnetic field generated by the inductive antenna 108 is received by the inductive loop 112 and converted to a current
This received current can be used to power the integrated circuit 114
（当審訳：[0005]図１は，リーダ100とスマートカード110を有する
非接触スマートカードシステム
[0006]スマートカード110は，集積回路114と誘導ループ112を備えている。
スマートカード110がリーダ100に近づけられると，リーダ100の誘導アンテナ108とスマートカード110の誘導ループ112が疎結合の変圧器を形成する
誘導アンテナ108によって生成される電磁界は，誘導ループ112により受信され，電流に変換される
この受け取られた電流は，集積回路114に電力を供給するために使用することができる
イ　「[0029] In accordance with the preferred embodiment of the present invention, FIG. 4 a illustrates a general block diagram of a portable data device (e.g.,
 a smart card
400 that utilizes its available 
power in a more efficient manner
the digital circuit 432 , the clock generator 428 , and the power controller 430
The digital circuit 432 could be
a microprocessor
The power controller 430 also provides a measure of the available power at signal 433
The clock generator 428 uses the measured available power signal 433 from the power controller 430 to adjust the frequency of the clock signal 439 for the digital circuit 432
[0030] The clock generator 428 can vary the frequency of the clock signal 439 as a function of the available power represented by the signal 433 . In accordance with the preferred embodiment of the present invention, 
when excess power is available (i.e., when there is close coupling between the portable data device 400 and the interface device 100 ), the clock frequency is increased
If less power is available (i.e., when the portable data device 400 is further away from the interface device 100 ), the clock frequency is reduced
（当審訳：[0029]本発明の好ましい実施形態によれば，図４ａは，従来の設計のものよりも
より効率的な方法で利用可能な電力を利用する
スマートカード
400
デジタル回路432，クロック発生器428，及び電力コントローラ430
デジタル回路432は
マイクロプロセッサ
であってもよい
また，電力コントローラ430は，信号433で，利用可能な電力の測定値を提供する
クロック発生器428は，電力コントローラ430からの測定された利用可能な電力の信号433を使用して，デジタル回路432に対するクロック信号439の周波数を調整する
[0030]クロック発生器428は，信号433によって表された利用可能な電力の関数としてクロック信号439の周波数を変化させることができる。本発明の好ましい実施形態によれば，
余剰電力が利用可能であるとき(すなわち，携帯型データ装置400とインタフェース装置100との間に密接な結合があるとき)，クロック周波数を増加させる
より少ない電力しか利用できない場合(すなわち，携帯型データ装置400が，インタフェース装置100から遠く離れている場合)，クロック周波数を低下させる
ウ　「図１
」
エ　「図４ａ
」
（２）上記（１）アの「スマートカード110」，上記（１）イの「スマートカード400」，及び「携帯型データ装置400」は，いずれも「スマートカード」を意味するものであり，また，上記（１）アの「リーダ100」及び上記（１）イの「インタフェース装置100」は，いずれも「リーダ」を意味するものである。
　そうすると，上記（１）に摘記した引用文献２の記載事項から，引用文献２には，次の技術（以下，「引用文献２記載技術」という。）が記載されていると認められる。
「スマートカードがリーダに近づけられると，リーダの誘導アンテナとスマートカードの誘導ループが疎結合の変圧器を形成し，誘導アンテナによって生成される電磁界は，誘導ループにより受信され，電流に変換され，この受け取られた電流は，集積回路に電力を供給するために使用することができる非接触スマートカードシステムにおいて，（段落0005，0006，図１）
　効率的な方法で利用可能な電力を利用するスマートカードは，デジタル回路，クロック発生器，及び電力コントローラを備え，デジタル回路はマイクロプロセッサであってもよく，電力コントローラは，信号433で，利用可能な電力の測定値を提供し，クロック発生器は，電力コントローラからの測定された利用可能な電力の信号433を使用して，デジタル回路に対するクロック信号の周波数を調整し，余剰電力が利用可能であるとき(すなわち，スマートカードとリーダとの間に密接な結合があるとき)，クロック周波数を増加させ，より少ない電力しか利用できない場合(すなわち，スマートカードが，リーダから遠く離れている場合)，クロック周波数を低下させる技術。（段落0029，0030，図４ａ）」
第６　対比・判断
１．本願発明１について
（１）対比
　本願発明１と引用発明とを対比すると，次のことがいえる。
ア　引用発明の「アンテナ」，「RFフィールド」は，それぞれ，本願発明１の「アンテナ」，「無線周波数励起場」に相当するから，引用発明の「アンテナは，RFフィールドからエネルギーを収集」することは，本願発明１の「アンテナを用いて無線周波数励起場から電力を抽出すること」に相当する。
イ　引用発明は，「電力を受信すると，指紋センサが起動し，外部の指紋データを取り込み，外部の指紋データはCPUに提供され，CPUは，外部の指紋データを記憶された指紋テンプレートと比較し，この比較に基づいて，CPUは，比較スコアを計算し」，「次にCPUは，比較スコアを設定された閾値と対比して，一致状態又は不一致状態が発生したかどうかを判定し」ているところ，引用発明の「受信」される「電力」は，本願発明１の「前記アンテナから抽出された前記電力」に相当し，引用発明の「生体認証装置」は，ローカル電源を含んでいないから，「受信」される「電力」を用いて，「指紋センサ」と「CPU」に電力を供給しているといえる。
　また，引用発明では，「指紋センサ」と「CPU」とによって，指紋認証機能を実行しているから，引用発明の「指紋センサ」と「CPU」は，本願発明１の「指紋認証モジュールであるバイオメトリック認証モジュール」に相当し，そのうちの「CPU」は本願発明１の「指紋認証モジュールであるバイオメトリック認証モジュールの処理ユニット」に相当する。
　したがって，引用発明と本願発明１とは，「前記アンテナから抽出された前記電力を用いて，指紋認証モジュールであるバイオメトリック認証モジュールの処理ユニットに電力を供給する」点で一致している。
ウ　したがって，本願発明１と引用発明との間には，次の一致点，相違点があるといえる。
（一致点）
「アンテナを用いて無線周波数励起場から電力を抽出することと，
　前記アンテナから抽出された前記電力を用いて，指紋認証モジュールであるバイオメトリック認証モジュールの処理ユニットに電力を供給することと
　を含む，方法。」
（相違点）
　本願発明１では，
「前記処理ユニットへ供給される前記電力を監視することと，
　監視された前記電力のレベルに基づいて前記処理ユニットのクロック速度を制御することと
　を含み，
　前記制御することが，高電力レベルが検出された時に前記処理ユニットを高クロック速度で動作させ，低電力レベルが検出された時に前記処理ユニットを低クロック速度で動作させることを含む」
のに対して，引用発明は，そのような構成となっていない点。
（２）相違点についての判断
ア　引用文献２には，上記第５の２．で認定したように，
「スマートカードがリーダに近づけられると，リーダの誘導アンテナとスマートカードの誘導ループが疎結合の変圧器を形成し，誘導アンテナによって生成される電磁界は，誘導ループにより受信され，電流に変換され，この受け取られた電流は，集積回路に電力を供給するために使用することができる非接触スマートカードシステムにおいて，
　効率的な方法で利用可能な電力を利用するスマートカードは，デジタル回路，クロック発生器，及び電力コントローラを備え，デジタル回路はマイクロプロセッサであってもよく，電力コントローラは，信号433で，利用可能な電力の測定値を提供し，クロック発生器は，電力コントローラからの測定された利用可能な電力の信号433を使用して，デジタル回路に対するクロック信号の周波数を調整し，余剰電力が利用可能であるとき(すなわち，スマートカードとリーダとの間に密接な結合があるとき)，クロック周波数を増加させ，より少ない電力しか利用できない場合(すなわち，スマートカードが，リーダから遠く離れている場合)，クロック周波数を低下させる技術。」（引用文献２記載技術）
が記載されている。
　引用文献２記載技術の「デジタル回路」は本願発明１の「処理ユニット」に対応し，引用文献２記載技術の「電力コントローラ」は，「信号433で，利用可能な電力の測定値を提供し」ているから，「処理ユニットへ供給される電力を監視」している点で本願発明１と一致し，引用文献２記載技術の「クロック発生器」は，「電力コントローラからの測定された利用可能な電力の信号433を使用して，デジタル回路に対するクロック信号の周波数を調整し」ているから，「監視された前記電力のレベルに基づいて前記処理ユニットのクロック速度を制御する」点で本願発明１と一致し，さらに，引用文献２記載技術の「余剰電力が利用可能であるとき(すなわち，スマートカードとリーダとの間に密接な結合があるとき)，クロック周波数を増加させ，より少ない電力しか利用できない場合(すなわち，スマートカードが，リーダから遠く離れている場合)，クロック周波数を低下させる」ことは，本願発明１の「高電力レベルが検出された時に前記処理ユニットを高クロック速度で動作させ，低電力レベルが検出された時に前記処理ユニットを低クロック速度で動作させる」ことに相当するから，結局，引用文献２記載技術は，本願発明１の「前記処理ユニットへ供給される前記電力を監視することと，
　監視された前記電力のレベルに基づいて前記処理ユニットのクロック速度を制御することと
　を含み，
　前記制御することが，高電力レベルが検出された時に前記処理ユニットを高クロック速度で動作させ，低電力レベルが検出された時に前記処理ユニットを低クロック速度で動作させることを含む」ことに相当する構成であるといえる。
　ここで，引用発明と引用文献２記載技術の組合せについて検討すると，引用発明は，指紋認証機能を有するデバイスにおいて，指紋認証の処理が終了するとＣＰＵのクロックを低速にしてスリープモードに入り，これにより，他の構成，特にＲＦチップに十分な電力が行き渡るようにするという技術である一方，引用文献２記載技術は，ＲＦＩＤタグが存在する電磁界の強さに応じてクロック速度を変更するというものであり，両者は，エネルギーを効率的に利用しようとするものである点では共通しているものの，その実現方法において，全く異なるものであり，前者の，指紋認証処理が終了すると，ＣＰＵのクロックを低速にするという制御態様（以下，「第１のクロック制御態様」という。）と，後者の，電磁界の強さに応じてクロックの速度を変更するという制御態様（以下，「第２のクロック制御態様」という。）とを組み合わせることは当業者が容易に想到し得たことであるとはいえない。
　加えて，引用文献１には，第１のクロックの制御態様を第２のクロックの制御態様に置き換える動機付けとなる記載はなく，また，仮にそのような置き換えを行うと，指紋認証処理が終了して，ＣＰＵのクロックを低速にすることにより，ＲＦチップに十分な電力が行き渡るようにするという引用発明の効果を失うことになるから，引用発明に引用文献２記載技術を採用する動機付けがあるとはいえない。
　したがって，引用発明に引用文献２記載技術を適用して相違点に係る構成とすることは，当業者が容易に想到し得たことであるということはできない。
　また，指紋認証モジュールの処理ユニットへ供給される電力を監視し，監視された前記電力のレベルに基づいて前記処理ユニットのクロック速度を制御することが，本願の優先日前に当該技術分野における周知技術であったともいえない。
イ　よって，本願発明１は，当業者であっても引用発明及び引用文献２記載技術に基づいて容易に発明できたものであるとはいえない。
２．本願発明２〜５について
　本願発明２〜５は，本願発明１を直接・間接に引用するものであって，本願発明１と同一の構成を備えるものであるから，本願発明１と同じ理由により，当業者であっても引用発明及び引用文献２記載技術に基づいて容易に発明できたものとはいえない。
　また，本願発明６は，本願発明１に対応するデバイスの発明であって，本願発明１とカテゴリ表現が異なるだけの発明であるから，本願発明１と同じ理由により，当業者であっても引用発明及び引用文献２記載技術に基づいて容易に発明できたものとはいえない。
　また，本願発明７〜９は，本願発明６を直接・間接に引用するものであって，本願発明６と同一の構成を備えるものであるから，本願発明１と同じ理由により，当業者であっても引用発明及び引用文献２記載技術に基づいて容易に発明できたものとはいえない。
第７　むすび
　以上のとおり，本願発明１〜９は，当業者が引用発明及び引用文献２記載技術に基づいて容易に発明をすることができたものではない。したがって，原査定の理由によっては，本願を拒絶することはできない。
　また，他に本願を拒絶すべき理由を発見しない。
　よって，結論のとおり審決する。